(57)【要約】【課題】部品管理が容易で、作業が簡単なフラット手摺り保持具の提供。【解決手段】コーナー部のフラット手摺り６を下面で支持する支持板１と該支持板１を保持するブラケット２からなり、支持板１がコーナー部の手摺り６の形状に対応させた曲面を有するほぼ９０°に曲折した形状の平板で、手摺りを固定するための適数個のネジ孔を有し、該板の長さ方向の両端部にブラケット取付け域を設け、該取り付け域に板巾の中間点と該中間点を中点として板巾方向の左右の対称位置に前記手摺りを固定するためのネジ孔を設けてなり、ブラケットが前記板巾の中間点と該中間点を中点として板巾方向の左又は右のいずれか一方の位置に設けられた手摺り固定用のネジ孔に対応するネジ孔を有し、かつ壁面固定用ネジ孔を有するブラケット本体と該本体を覆うカバーとからなることを特徴とするフラット手摺りの保持具。【選択図】  図５
2004316359.tif 000002
【特許請求の範囲】
【請求項１】
コーナー部のフラット手摺りを下面で支持する支持板と該支持板を保持するブラケットからなり、支持板がコーナー部の手摺りの形状に対応させた曲面を有するほぼ９０°に曲折した形状の平板で、手摺りを固定するための適数個のネジ孔を有し、該板の長さ方向の両端部にブラケット取付け域を設け、該取り付け域に板巾の中間点と該中間点を中点として板巾方向の左右の対称位置に前記手摺りを固定するためのネジ孔を設けてなり、ブラケットが前記板巾の中間点と該中間点を中点として板巾方向の左又は右のいずれか一方の位置に設けられた手摺り固定用のネジ孔に対応するネジ孔を有し、かつ壁面固定用ネジ孔を有するブラケット本体と該本体を覆うカバーとからなることを特徴とするフラット手摺りの保持具。
【発明の詳細な説明】
【０００１】
【発明の属する技術分野】
本発明は、階段や廊下の側壁等に取り付けられる手摺り、特に側端が壁面に接して設けられる板状のフラット手摺りの保持具に関するものである。
【０００２】
【従来の技術】
老人人口の増加にともない、病院などのほかにマンションや一般家庭の廊下や階段などの側壁に手摺りを設ける需要が増えてきている。手摺りには、階段の昇り降りなどの場合にしっかり握れるように丸棒状の手摺りが多く使用されているが、これとは別に病院や保養所等の老人などの歩行を補助するための手摺りには、腕や肘などを載せて全体重をかけてからだが支えられる形式の、一方の側端が壁面に直接接し、他方の側端である人と接する側に断面半円状に隆起した手摺り部を設けた平板状の手摺りが使用されている。
このような平板状手摺り（フラット手摺り）の設置方法としては、専用のブラケットのみで壁に固定する方法と、支持する手摺り７の壁面側を壁面１００に設けられた腰板１０１の上端に載せるように設置し、ブラケット９で固定する方法とがある。ブラケットとしては、通常の棚板を支えるのと同様な支持具の使用が考えられるが、形状によっては衣服が引っかかるとか、外観上好ましくないなどのことから、カバーをかけるブラケットも用いられている。
【０００３】
【発明が解決しようとする課題】
平板状手摺りの場合、廊下の直線部分のみに設けて廊下の曲がり角の部分には設けないようにすると、平板と平板の間に隙間が生じた感じとなり、からだや腕などが挟まれる恐れを感じさせるため、このようなコーナー部にも直線部分から連続した形で手摺りを設けている。
このようなコーナー部分の手摺りはコーナーが出隅・入隅のいずれの場合も、直線部分の手摺りとは別個に作られるため、直線部分の手摺りとは別にブラケットを用いて固定する必要があり、手摺りを下面から支える支持板も必要である。従来は、コーナーが入隅か出隅かに応じて支持板やブラケットを選択して用いていたが、このような方法ではそれぞれに応じた支持板やブラケットを用意しなければならず煩雑であり、経済的にも作業上でも好ましい方法ではなかった。
本発明は、出隅・入隅のいずれにも使用できる手摺り保持具を提供するものである。
【０００４】
【課題を解決するための手段】
本発明のフラット手摺りの保持具は、コーナー部の手摺りを下面で支持する支持板と該支持板を保持するブラケットからなり、支持板がコーナー部の手摺りの形状に対応させた曲面を有するほぼ９０°に曲折した形状の平板で、手摺りを固定するための適数個のネジ孔を有し、該板の長さ方向の両端部にブラケット取付け域を設け、該取り付け域に板巾の中間点と該中間点を中点として板巾方向の左右の対称位置に前記手摺りを固定するためのネジ孔を設けてなり、ブラケットが前記板巾の中間点と該中間点を中点として板巾方向の左又は右のいずれか一方の位置に設けられた手摺り固定用のネジ孔に対応するネジ孔を有し、かつ壁面固定用ネジ孔を有するブラケット本体と該本体を覆うカバーとからなることを特徴とする。
【０００５】
【発明の実施の形態】
以下、本発明を図面にしたがって説明する。
本発明において、支持板１は図１に示すように、適当な厚みの金属板又は硬質プラスチック板などで作られており、平面上で９０°に曲げられた板となっている。通常、手摺りを設けようとする建物の廊下や階段の踊り場などの曲がり角（コーナー）は９０°の角度で出隅、入隅が作られており、建物によっては多少角面に丸みを帯びさせているものもあることから、支持板１の曲折部を曲面とするとよい。
支持板１の幅は、特に限定されないが、支持しようとする板状手摺りの幅の２分の１以上の幅で、手摺りの幅よりも小さな幅とするとよい。
【０００６】
支持板１の長さ方向の少なくとも両端部には、支持板１を下面から支持するためのブラケットを取付ける箇所を設け、この箇所にネジ孔を設ける。
支持板１に設けるネジ孔は、支持板１の幅方向の中間点又は中心線１３の位置に設ける中点ネジ孔１１と中心線１３の左右の位置に該中心線１３に対して対称の位置に設ける対称ネジ孔１２とする。図示した例では、中点ネジ孔１１を１個とし、対称ネジ孔１２を２個設けているが、これらの数は任意であるが、中点ネジが１個の場合には、中点ネジ孔１１のネジを支点としてブラケット２を回転させることができるので有利である。
中点ネジ孔と対称ネジ孔は、ブラケット２からの木ネジ等のネジを通して、ブラケット２をフラット手摺りに取付けるため、必ずしもネジを切った孔である必要はない。
【０００７】
支持板１を下面から支えるブラケット２は、支持板と同様に金属又は硬質プラスチックで作られていて、ブラケット本体３とカバー４とからなり、図２に示すように、本体３は支持板１に当接する支持面３４と建物の壁面等に当接する固定面３５を有し、支持面３４には支持板１の前記中点ネジ孔１１と中心線１３に対して一方の側の対称ネジ孔１２に対応するネジ孔３１と３２が設けられており、固定面３５にはブラケット本体３を壁面等に固定するためのネジ孔３３が設けられている。
【０００８】
図３はブラケット２の取付け方法を説明するための図で、支持板１の裏面から見た図を示す。ブラケット本体３を支持板１の裏面に当接させて、支持板１のネジ孔１１にブラケット本体３のネジ孔３１を合わせ、支持板１のネジ孔１２にブラケット本体３のネジ孔３２をそれぞれ合わせて、ネジ５で支持板１の上面の手摺りにネジ止めする。
図４は、入隅といわれるコーナー（曲がり角）が凹んだ状態の箇所に本発明の手摺り保持具を用いる場合の例である。
【０００９】
図５は、出隅といわれるコーナー（曲がり角）が出っ張った状態の箇所に本発明の手摺り保持具を用いた例である。支持板１の長さをコーナー部の手摺り６の長さよりも長いものとし、支持板１の両端部のブラケット２が直線部の手摺り７、７に取り付けられるようにする。
ブラケット２は、カバー４を外して壁面固定用のネジ８でブラケット本体３を壁面に固定し、このようにしたブラケット本体３の上（支持面３４）に手摺り６及び７をそれぞれ載せ、ブラケット本体３の前記ネジ孔１１、１２にそれぞれネジ５を挿入して手摺り７、７を固定し、本体３にカバー４を被せてブラケット２の装着を完了する。直線部の手摺り７，７の間のコーナー部の手摺り６は支持板１に設けられたネジ孔１４を用いて支持板１にネジ止めされる。
【００１０】
【発明の効果】
本発明は、支持板１の幅方向の中心部に中点ネジ孔１１を設け、この中点ネジ孔１１に対して板幅方向の左右の対称の位置に対称ネジ孔１２を設け、これらのネジ孔に対応するネジ孔３１、３２をブラケット本体３に設けたので、図１に示すように中点ネジ孔１１を１個とすると、このネジ孔１１を回転軸としてブラケット２を回すだけで出隅、入隅のいずれにも対応できる。本発明の支持板１は平板で作られ、上記の位置関係にネジ孔１１と１２が設けられているため、単に支持板１を裏又は表とするだけで出隅−入隅に容易に対応でき、部品の調達の単一化や作業の単純化が図れるなどの利点を有する。
本発明は、フラット手摺りについて説明したが、この手摺りに限定されることなく、カウンター、笠木等他の板状部材の保持・固定にも使用できる。
【図面の簡単な説明】
【図１】出隅支持板をブラケットで支持する状態の一例を示す斜視図である。
【図２】ブラケットの一例を示す斜視図である。
【図３】支持板にブラケットを取付け方法を示す背面斜視図である。
【図４】入隅支持板をブラケットで支持する状態を示す斜視図である。
【図５】本発明保持具の使用状態を示す斜視図である。
【図６】従来のフラット手摺りの支持方法を示す斜視図である。
【符号の説明】
１  支持板
２  ブラケット
３  ブラケット本体
４  カバー
５  ネジ
６  コーナー部の手摺り
【図１】
2004316359.tif 000003
【図２】
2004316359.tif 000004
【図３】
2004316359.tif 000005
【図４】
2004316359.tif 000006
【図５】
2004316359.tif 000007
【図６】
2004316359.tif 000008